(57)【要約】      （修正有）【課題】木材を使用し軽量化を図り、普段は家具として使用でき、かつ、災害時には、就寝時の圧迫感を緩和したベッドとして対応可能な家具ユニット兼用ベッドを提供する。【解決手段】家具ユニット兼用ベッドは、五台複数並設した縁台ユニット３と、前側と後側の縁台ユニット３の夫々の上方に設けた下側ユニット１０と、各下側ユニット１０の上方に設けた上側ユニット２０と、前後の上側ユニット２０の間に設けた天井ユニット３５とを備える。各ユニットは間伐部材を利用して形成した木部材により形成する。五台複数並設した縁台ユニット３の上方は、上側ユニット２０および天井ユニット３５により包囲する。【選択図】図１
0003147027.tif 000002
【実用新案登録請求の範囲】
【請求項１】
長四角形状の枠体６に縁甲板７を取付けて構成した縁台部４の四隅に夫々脚部５を設けて構成した縁台ユニット３と、該縁台ユニット３を前後に五台並設した内の前後側の縁台ユニット３の夫々の上方に組付ける、平面視「コ」の字形状の下側下部枠１１と下側上部枠１２とを四本の下側縦枠１３により連結して構成した下側ユニット１０と、該前後の下側ユニット１０の夫々の上方に組付ける、平面視「コ」の字形状の上側下部枠２１と四角枠形状であって横桟２７を左右方向に所定間隔を置いて五本設けた上側上部枠２２とを上側縦杆２３により連結して構成した上側ユニット２０と、該前後の上側ユニット２０の間に設ける、三台の梯子部材３６により構成した天井ユニット３５とを、夫々間伐部材を利用して形成した木部材により形成すると共に、前記縁台ユニット３と前記下側ユニット１０と前記上側ユニット２０と前記天井ユニット３５の夫々単体構成として使用可能であって、五台並設した内の前後側の縁台ユニット３の夫々の上方に下側ユニット１０を組み付けて構成した寝台部２の前後側の上方に前記上側ユニット２０を設け、前後の上側ユニット２０を前記天井ユニット３５により連結し、前記寝台部２の上方を前記上側ユニット２０および前記天井ユニット３５により包囲した家具ユニット兼用ベッド。
【請求項２】
請求項１において、前記縁台ユニット３の脚部５は４０ミリ角の角柱部材により形成し、前記縁台ユニット３の縁台部４の枠体６と下側ユニット１０の下側下部枠１１および下側上部枠１２の下側側部杆１４と上側ユニット２０の上側側部杆２４および上側連結杆２５と上側枠体２６は夫々４０ミリ×８０ミリの角柱部材により構成した家具ユニット兼用ベッド。
【請求項３】
請求項２において、前記縁台ユニット３の縁台部４と、前記下側ユニット１０および前記上側ユニット２０との夫々は長さおよび横幅を４２０ミリ、横幅１０００ミリに形成すると共に、前記縁台ユニット３と前記下側ユニット１０の夫々には縁台側係合孔１６と下側ユニット側係合孔を形成し、前記縁台側係合孔１６および下側ユニット側係合孔に係合軸１８を挿入係合させて前記縁台ユニット３と前記下側ユニット１０とを連結し、前記下側ユニット１０と前記上側ユニット２０の夫々には下側ユニット側係合孔２８と上側ユニット側係合孔を形成し、前記下側ユニット側係合孔２８と前記上側ユニット側係合孔には係合軸３０を挿入係合させて前記下側ユニット１０と前記上側ユニット２０とを連結するように構成した家具ユニット兼用ベッド。
【請求項４】
請求項１または請求項２または請求項３において、ユニット家具兼ベッド１の縁台ユニット３の下方には、収納箱４５を格納するように構成した家具ユニット兼用ベッド。
【考案の詳細な説明】
【技術分野】
【０００１】
本考案は、家具ユニット兼用ベッドに係るものである。
【背景技術】
【０００２】
従来、長四角形状の寝台の四隅に脚部を設け、寝台の上方に側面視円弧形状の左右一対の枠体を設け、該枠体に寝台の長さ方向に所定間隔を置いて横桟を設けて構成した災害ベッドは、公知である（文献１参照）。
【特許文献１】特開平０６ー１７９２８
【考案の開示】
【考案が解決しようとする課題】
【０００３】
前記公知例は、単に、金属製の寝台の上方に、横桟を有する円弧形状の金属製の枠体を設けているので、寝台および枠体は重量が嵩むという課題がある。
また、前記公知例は、枠体は円弧形状に形成しているため、寝台部に横たわる就寝者の頭上に枠体が接近し、就寝者に圧迫感を与えるという課題がある。
また、前記公知例は、単に、災害時のベッドとしてのみ使用するので、用途が限定される。
本願は、災害に対応できるユニット家具兼ベッドでありながら、木材を使用して軽量化を図り、就寝時の圧迫感を緩和し、家具としても使用できるように工夫したものである。
【課題を解決するための手段】
【０００４】
本考案では、長四角形状の枠体６に縁甲板７を取付けて構成した縁台部４の四隅に夫々脚部５を設けて構成した縁台ユニット３と、該縁台ユニット３を前後に五台並設した内の前後側の縁台ユニット３の夫々の上方に組付ける、平面視「コ」の字形状の下側下部枠１１と下側上部枠１２とを四本の下側縦枠１３により連結して構成した下側ユニット１０と、該前後の下側ユニット１０の夫々の上方に組付ける、平面視「コ」の字形状の上側下部枠２１と四角枠形状であって横桟２７を左右方向に所定間隔を置いて五本設けた上側上部枠２２とを上側縦杆２３により連結して構成した上側ユニット２０と、該前後の上側ユニット２０の間に設ける、三台の梯子部材３６により構成した天井ユニット３５とを、夫々間伐部材を利用して形成した木部材により形成すると共に、前記縁台ユニット３と前記下側ユニット１０と前記上側ユニット２０と前記天井ユニット３５の夫々単体構成として使用可能であって、五台並設した内の前後側の縁台ユニット３の夫々の上方に下側ユニット１０を組み付けて構成した寝台部２の前後側の上方に前記上側ユニット２０を設け、前後の上側ユニット２０を前記天井ユニット３５により連結し、前記寝台部２の上方を前記上側ユニット２０および前記天井ユニット３５により包囲した家具ユニット兼用ベッドとしたものである。
本考案では、前記縁台ユニット３の脚部５は４０ミリ角の角柱部材により形成し、前記縁台ユニット３の縁台部４の枠体６と下側ユニット１０の下側下部枠１１および下側上部枠１２の下側側部杆１４と上側ユニット２０の上側側部杆２４および上側連結杆２５と上側枠体２６は夫々４０ミリ×８０ミリの角柱部材により構成した家具ユニット兼用ベッドとしたものである。
本考案では、前記縁台ユニット３の縁台部４と、前記下側ユニット１０および前記上側ユニット２０との夫々は長さおよび横幅を４２０ミリ、横幅１０００ミリに形成すると共に、前記縁台ユニット３と前記下側ユニット１０の夫々には縁台側係合孔１６と下側ユニット側係合孔を形成し、前記縁台側係合孔１６および下側ユニット側係合孔に係合軸１８を挿入係合させて前記縁台ユニット３と前記下側ユニット１０とを連結し、前記下側ユニット１０と前記上側ユニット２０の夫々には下側ユニット側係合孔２８と上側ユニット側係合孔を形成し、前記下側ユニット側係合孔２８と前記上側ユニット側係合孔には係合軸３０を挿入係合させて前記下側ユニット１０と前記上側ユニット２０とを連結するように構成した家具ユニット兼用ベッドとしたものである。
本考案では、ユニット家具兼ベッド１の縁台ユニット３の下方には、収納箱４５を格納するように構成した家具ユニット兼用ベッドとしたものである。
【考案の効果】
【０００５】
請求項１の考案では、縁台として使用できる縁台ユニット３と、ラックとして使用できる下側ユニット１０と、テーブルとして使用できる上側ユニット２０と、梯子として使用できる天井ユニット３５とを組み合わせると、ユニット家具兼ベッド１となって使用態様を多様化して汎用性を向上させることができ、しかも、木材により形成しているので、加工・製造・組立が容易であり、また、金属製に比し軽量化ができ、また、縁台ユニット３により構成される寝台部２の上方には同一高さの空間を形成でき、就寝時の圧迫感を緩和できる。
請求項２の考案では、縁台ユニット３の脚部５は４０ミリ角の角柱部材により形成し、縁台ユニット３の縁台部４の枠体６と下側ユニット１０の下側下部枠１１および下側上部枠１２の下側側部杆１４と上側ユニット２０の上側側部杆２４および上側連結杆２５と上側枠体２６は夫々４０ミリ×８０ミリの角柱部材により構成しているので、梱包・運搬が容易にできる。
請求項３の考案では、縁台ユニット３と下側ユニット１０と上側ユニット２０と天井ユニット３５を予め製造しておくので、組立が容易であるばかりでなく、縁台ユニット３と下側ユニット１０と上側ユニット２０と天井ユニット３５の組立も特別な工具を必要とせずに行えるので、頗る簡単にできる。
請求項４の考案では、家具として使用できる収納箱４５を縁台ユニット３の下方に格納できるので、空間を有効利用できる。
【考案を実施するための最良の形態】
【０００６】
本考案の一実施例を図面により説明すると、１はユニット家具兼ベッドであり、ユニット家具兼ベッド１はベッドユニットＶの一部を構成する寝台部２を有して構成する。寝台部２は複数の縁台ユニット３を前後に並設して構成する（理解を容易にするため前後あるいは左右と方向を示して説明するが、ユニット家具兼ベッド１の設置場所により方向は変化するので、これらの表現によって、構成は限定されない）。
ベッドユニットＶの縁台ユニット３は長四角形状の縁台部４の四隅に夫々脚部５を設けて構成し、単独で縁台ユニット３を使用するときは縁台ユニット３となる（図３）。
【０００７】
縁台ユニット３の縁台部４は長さ（前記寝台部２の長さ方向を基準）を４２０ミリで横幅１０００ミリの枠体６に縁甲板７を取り付けて構成する。また、各縁台ユニット３は高さ３５０ミリに形成している。実施例では五台の縁台ユニット３により寝台部２を構成する。寝台部２の複数の縁台ユニット３のうち、前後側の縁台ユニット３の夫々の上方には下側ユニット１０を設け、ベッドユニットＶを構成する（図１，図２）。
【０００８】
下側ユニット１０は、平面視「コ」の字形状の下側下部枠１１と下側上部枠１２とを四本の下側縦枠１３により連結して構成する（図４）。下側下部枠１１および下側上部枠１２は夫々左右一対の下側側部杆１４の基部を左右方向の下側連結杆１５により連結して構成する。
【０００９】
前記縁台ユニット３の脚部５の上方の枠体６には縦方向の縁台側係合孔１６を形成し、該縁台側係合孔１６の上方の下側ユニット１０の下側下部枠１１の部分には下側ユニット側係合孔（図示省略）を形成し、縁台側係合孔１６に係合軸１８を挿入係合させ、この係合軸１８に下側ユニット側係合孔を上方から挿入係合させて、縁台ユニット３と下側ユニット１０とを連結する（図１）。
【００１０】
下側ユニット１０は、ユニット家具兼ベッド１をベッドユニットＶとして使用するベッド使用状態の場合、前後の夫々の下側ユニット１０が所謂ヘッドボードとフットボードとしての作用を奏するが、本考案では、前後の下側ユニット１０は同一形状に形成しているため、ユニット家具兼ベッド１をベッドユニットＶとしてベッド使用態様にしたときは、寝台部２は何れの向きでも使用でき、使い勝手を向上させられる。
【００１１】
下側ユニット１０は縁台ユニット３の上方に設けるため、縁台ユニット３と同一寸法で構成し、下側下部枠１１（下側側部杆１４）の長さは４２０ミリに、下側下部枠１１（下側連結杆１５）の横幅は１０００ミリに夫々形成し、高さは５００ミリに形成する。前後の下側ユニット１０の夫々の上方には上側ユニット２０を設ける。
【００１２】
上側ユニット２０は、平面視「コ」の字形状の上側下部枠２１と四角枠形状の上側上部枠２２とを四本の上側縦杆２３により連結して構成する（図５）。上側下部枠２１は左右一対の上側側部杆２４の基部を左右方向の上側連結杆２５により連結して構成する。
【００１３】
上側上部枠２２は、平面視長さが４２０ミリで横幅が１０００ミリの上側枠体２６に横桟２７を左右方向に所定間隔を置いて五本設けて構成する。
【００１４】
前記下側ユニット１０の下側上部枠１２の上面の四隅には縦方向の下側ユニット側係合孔２８を形成し、該下側ユニット側係合孔２８の上方の上側ユニット２０の上側下部枠２１の部分には上側ユニット側係合孔（図示省略）を形成し、下側ユニット側係合孔２８と上側ユニット側係合孔に係合軸３０を挿入係合させ、下側ユニット１０と上側ユニット２０を連結する（図１）。
【００１５】
しかして、縁台ユニット３の縁台部４の枠体６と、下側ユニット１０の下側下部枠１１および下側上部枠１２と、上側ユニット２０の上側下部枠２１および上側上部枠２２との夫々は、係合凹部３１に係合凸部３２との係合により組み立てる（図６）。
【００１６】
前記前後の上側ユニット２０の間には、天井ユニット３５を設ける（図１，図２）。天井ユニット３５は三台の梯子部材３６により構成する。各梯子部材３６は、左右一対の１２６０ミリの長さの前後杆３７に左右方向の６本の横桟３８を２１０ミリの間隔を置いて平面視梯子形状に形成する。各梯子部材３６は、前後杆３７の前後端部に取付金具３９を設け、取付金具３９を前記上側ユニット２０の上側上部枠２２の上側枠体２６の取付穴４０に合わせて係合ピン４１により係合させる。各梯子部材３６は、前後の上側ユニット２０を天井ユニット３５により連結する。
【００１７】
したがって、五台の縁台ユニット３を並設し、前後の縁台ユニット３の上方に夫々下側ユニット１０を載置取付し、各下側ユニット１０の上方に夫々上側ユニット２０を載置取付し、前後の上側ユニット２０を天井ユニット３５により連結すると、ユニット家具兼ベッド１をベッド使用態様とする。
【００１８】
即ち、縁台ユニット３と、下側ユニット１０と、上側ユニット２０と、天井ユニット３５との夫々が単体構成部品を形成し、これらを組み合わせた一つの態様としてベッド使用態様の完成品となる。
【００１９】
４５は収納箱であり、幅３２０ミリ、長さ３８０ミリ、高さ２４０ミリに形成し、縁台ユニット３の左右の脚部５間に収まるように構成する。収納箱４５の底面にはキャスター輪４６（図９）を設け、縁台ユニット３下への収納引き出し操作を容易にしている。
【００２０】
また、縁台ユニット３、下側ユニット１０、上側ユニット２０、天井ユニット３５および収納箱４５は夫々間伐材等の木部材により形成し、木製ユニット家具ＫおよびベッドユニットＶとして使用する。
【００２１】
しかして、縁台ユニット３と下側ユニット１０と上側ユニット２０と天井ユニット３５と収納箱４５の夫々の単体構成部品の組合せおよび使用態様は任意であるが、以下例示すると、図１、図２は、五台の縁台ユニット３と下側ユニット１０とにより寝台部２を構成し、寝台部２の上方に上側ユニット２０を設けてベッドユニットＶとし、更に、前後の上側ユニット２０を天井ユニット３５により連結すると、所謂ベッド使用態様となり、上側ユニット２０および天井ユニット３５が寝台部２の上方に天蓋のように位置して、寝台部２へ上方からの物体の落下を防止する。
【００２２】
図３の縁台ユニット３は木製ユニット家具Ｋの独立して腰を下ろす縁台としての使用態様となる。
【００２３】
図５の上側ユニット２０は、木製ユニット家具Ｋの独立状態のテーブル態様にしたものであり、上側ユニット２０の横桟２７上にガラス等の板部材５０を載置して上側ユニット２０をテーブルとして使用する。
【００２４】
この場合、二台の上側ユニット２０を挟んで縁台ユニット３を設置すると（図８）、縁台ユニット３を上側ユニット２０をテーブルに対する椅子としての縁台になって、使い勝手を向上させる。
【００２５】
また、上側ユニット２０の横桟２７上に板部材５０を載置すると、上側ユニット２０をテレビ台としても使用可能となる。
【００２６】
また、図９の上側ユニット２０および縁台ユニット３は木製ユニット家具Ｋのテーブルと椅子態様とし、この上側ユニット２０および縁台ユニット３の周辺に残りの縁台ユニット３を上下に段積みすると、木製ユニット家具Ｋの所謂ラックとして使用でき、テーブルと椅子およびラックにより、リビング態様となって、縁台ユニット３と下側ユニット１０と上側ユニット２０を単体構成品とする木製ユニット家具Ｋとしての使用態様となる。
【００２７】
また、図１０は、別の配置例を示したものであり、二つの上側ユニット２０を左右に並設して椅子とし、この上側ユニット２０の側方に二つの下側ユニット１０を並設してラックのように使用し、縁台ユニット３は段積みしてラックとして使用する。
【００２８】
（実施例の作用）
本考案は上記構成であるので、予め製造組立をした縁台ユニット３と下側ユニット１０と上側ユニット２０と天井ユニット３５とを組み合わせると、例えば、ベッド使用態様となって、ベッドとして使用でき、また、縁台ユニット３と下側ユニット１０と上側ユニット２０と天井ユニット３５とを適宜組み合わせると種々の木製ユニット家具Ｋとして使用できる。
【００２９】
（ベッド使用態様）
ベッド使用態様では、五台の縁台ユニット３を所定位置に前後に並設して寝台部２とし、寝台部２の前後の縁台ユニット３の上方に夫々下側ユニット１０を載置取付ると、ベッドユニットＶになる。このベッドユニットＶの寝台部２上にマットレス等の寝具を載置すると、ベッドとして使用可能になる（図１）。
【００３０】
この場合、本願では、ベッドユニットＶの前後の下側ユニット１０の上方の夫々に上側ユニット２０を載置取付し、前後の上側ユニット２０を天井ユニット３５により連結すると、寝台部２の上方が上側ユニット２０および天井ユニット３５により包囲されて（図２）、上方からの物体の落下を防止でき、災害時に就寝者の身体の安全性を向上させられる。
【００３１】
ユニット家具兼ベッド１の下側ユニット１０は、平面視「コ」の字形状の下側下部枠１１と下側上部枠１２とを四本の下側縦枠１３により連結して構成し、前記上側ユニット２０は平面視「コ」の字形状の上側下部枠２１と四角枠形状の上側上部枠２２とを四本の上側縦杆２３により連結して構成し、この前後の上側ユニット２０の間を三台の梯子部材３６により構成した天井ユニット３５により連結しているので、ベッド使用態様におけるユニット家具兼ベッド１は直方体の空間を形成でき、就寝空間を効率的に大きくできるばかりでなく、特に、就寝者の頭上空間を広くできて、就寝時における圧迫感を緩和させる（図２）。
【００３２】
即ち、五台の縁台ユニット３のうちの前後の縁台ユニット３の夫々の上方に設けた下側ユニット１０が通常のベッドの所謂ヘッドボードとフットボードとしての作用を奏し、五台の縁台ユニット３に対する上側ユニット２０の上側枠体２６および天井ユニット３５の高さは同じなため（図２）、就寝時における就寝者に与える圧迫感を緩和させる。
【００３３】
しかして、縁台ユニット３の脚部５の上方の枠体６には縦方向の縁台側係合孔１６を形成し、該縁台側係合孔１６の上方の前記縁台側係合孔１６が対峙する部分の下側ユニット１０の下側下部枠１１には下側ユニット側係合孔を形成しているから、縁台側係合孔１６に係合軸１８を挿入係合させ、この係合軸１８に下側ユニット１０の下側ユニット側係合孔を上方から挿入係合させて、縁台ユニット３と下側ユニット１０とを連結する（図１）。
【００３４】
したがって、縁台ユニット３と下側ユニット１０とを連結特別な工具を必要とせずに簡単に組み付けられる。
【００３５】
同様に、下側ユニット１０の下側上部枠１２の上面の四隅には縦方向の下側ユニット側係合孔２８を形成し、該下側ユニット側係合孔２８の上方の上側ユニット２０の上側下部枠２１の部分には上側ユニット側係合孔を形成し、下側ユニット１０の下側ユニット側係合孔２８に係合軸３０を挿入係合させ、この係合軸３０に上側ユニット２０の上側ユニット側係合孔を上方から挿入係合させて、下側ユニット１０と上側ユニット２０とを連結する（図１）。
【００３６】
したがって、下側ユニット１０と上側ユニット２０とを連結特別な工具を必要とせずに簡単に組み付けられる。
【００３７】
また、前後の上側ユニット２０の間の天井ユニット３５は、梯子部材３６の前後の取付金具３９を上側ユニット２０の上側上部枠２２の上側枠体２６に取付ければよく、前後の上側ユニット２０を天井ユニット３５により簡単に連結できる（図１）。
【００３８】
したがって、特別な工具を必要せずに、子供を含めた家族でベッドに組み立てることができ、所謂知育作業の一貫として親子の共同作業が可能となる。
【００３９】
しかして、ユニット家具兼ベッド１の構成部材の縁台ユニット３と下側ユニット１０と上側ユニット２０と天井ユニット３５の夫々は、四角柱形状の木部材により構成しているので、間伐材の利用が可能であり、間伐材を調達して加工組立を行えるので、間伐材の有効利用が図れ、林野業の活性化に貢献でき、しかも、製造コストを低くすることができる。
【００４０】
また、縁台ユニット３は長四角形状の縁台部４の四隅に夫々脚部５を設けて構成する。前記縁台部４は長さが４２０ミリで横幅１０００ミリで高さ３５０ミリに形成し、下側ユニット１０は縁台ユニット３の上方に設けるため、縁台ユニット３と長さおよび幅を同一寸法で形成し、高さを４００ミリに形成し、上側ユニット２０は長さが４２０ミリで横幅１０００ミリで高さ４００ミリで下側ユニット１０と同一寸法に形成し、前後の上側ユニット２０を連結する天井ユニット３５は左右一対の１２６０ミリの長さの前後杆３７により構成しているので、各部材は自動車のトランクやラゲッジールームへの積載が可能で、運搬を容易にする。
【００４１】
また、ユニット家具兼ベッド１の縁台ユニット３の下方には、収納箱４５を格納することができ、部屋の収納容積を拡大させることができる。
【００４２】
（縁台使用態様）
ユニット家具兼ベッド１の縁台ユニット３は、長四角形状の縁台部４の四隅に夫々脚部５を設けて構成し、縁台部４は枠体６に縁甲板７を取り付けて構成しているから、床上に縁台ユニット３を載置すると、縁台部４に着座して所謂縁台として使用することができ、家具ユニットの構成品の単体とし使用できる（図３、図８，図９）。
【００４３】
（ラック使用態様）
下側ユニット１０は、平面視「コ」の字形状の下側下部枠１１と下側上部枠１２とを四本の下側縦枠１３により連結して構成しているから、下側下部枠１１および下側上部枠１２の下側側部杆１４と下側連結杆１５により包囲された空間内に所定の物品を収容することができ、所謂ラックとして使用できる（図９）。
【００４４】
（テーブル使用態様）
上側ユニット２０は、平面視「コ」の字形状の上側下部枠２１と四角枠形状の上側上部枠２２とを四本の上側縦杆２３により連結して構成しているから、上側ユニット２０の横桟２７上にガラス等により構成した板部材５０を載置すると、上側ユニット２０をテーブルとして使用でき、テーブル使用態様となる（図８，図９）。
【００４５】
（腰掛け使用態様）
上側ユニット２０は、平面視「コ」の字形状の上側下部枠２１と四角枠形状の上側上部枠２２とを四本の上側縦杆２３により連結して構成しているから、上側ユニット２０の横桟２７上に腰掛けとして使用でき、腰掛け使用態様となる（図１０）。
【００４６】
（リビング使用態様）
図９のように、上側ユニット２０および縁台ユニット３を用いてテーブルと椅子態様とし、この周囲に残りの縁台ユニット３を上下に段積みすると、所謂ラックとして使用でき、テーブルと椅子およびラックにより、リビング態様となって、縁台ユニット３と下側ユニット１０と上側ユニット２０を単体構成品とする家具としての使用態様となる。
【００４７】
また、図１０は、別の配置例を示したものであり、二つの上側ユニット２０を左右に並設して椅子とし、この上側ユニット２０の側方に二つの下側ユニット１０を並設してラックのように使用し、縁台ユニット３は段積みしてラックとして使用する。
【図面の簡単な説明】
【００４８】
【図１】ユニット家具兼ベッドのベッドユニットの組立状態の斜視図。
【図２】ユニット家具兼ベッドのベッドユニットのベッド使用態様の斜視図。
【図３】縁台ユニットの斜視図。
【図４】下側ユニットの斜視図。
【図５】上側ユニットの斜視図。
【図６】縁台ユニット、下側ユニットおよび上側ユニットの枠体部分の組み付け状態斜視図。
【図７】ユニット家具兼ベッドのベッドユニットのベッド使用態様に収納箱を組み合わせた使用態様の斜視図。
【図８】ユニット家具兼ベッドの縁台ユニットの縁台使用態様と上側ユニットのテーブル使用態様の斜視図。
【図９】リビング態様の斜視図。
【図１０】リビング態様の斜視図。
【符号の説明】
【００４９】
１…ユニット家具兼ベッド  、２…寝台部  、３…縁台ユニット  、４…縁台部  、５…脚部、６…枠体、７…縁甲板、１０…下側ユニット、１１…下側下部枠、１２…下側上部枠、１３…下側縦枠、１４…下側側部杆、１５…下側連結杆、１６…縁台側係合孔、１８…係合軸、２０…上側ユニット、２１…上側下部枠、２２…上側上部枠、２３…上側縦杆、２４…上側側部杆、２５…上側連結杆、２６…上側枠体、２７…横桟、２８…下側ユニット側係合孔、３０…係合軸、３５…天井ユニット、３６…梯子部材、３７…前後杆、３８…横桟、３９…取付金具、４５…収納箱、４６…キャスター輪、５０…板部材。
【図１】
0003147027.tif 000003
【図２】
0003147027.tif 000004
【図３】
0003147027.tif 000005
【図４】
0003147027.tif 000006
【図５】
0003147027.tif 000007
【図６】
0003147027.tif 000008
【図７】
0003147027.tif 000009
【図８】
0003147027.tif 000010
【図９】
0003147027.tif 000011
【図１０】
0003147027.tif 000012